(57)【要約】【構成】一端に鍵穴２を設けたシリンダー１の側面に、シリンダーの軸線方向に沿って適宜の間隔を置いて板タンブラーの嵌合孔３と、ばね受け孔５を多段に穿孔し、各嵌合孔３とばね受け孔５に板タンブラー４と共にばね６を嵌装して、各ばねをばね受け孔と板タンブラー４の上部に具えたばね受け８との間で圧縮させる一方、各板タンブラー４の中央部に板キー１１の挿通路を形成する窓孔７を設け、この窓孔の下縁に、マスターキー用の凸部１０と、板キーの番手孔と係合する番手用凸部９を並設し、鍵穴に挿入される板キー１１には、各板タンブラーの窓孔の下縁の番手用凸部９に対応するディンプル部１２と、マスターキー用の凸部１０との係合を回避する回避溝１３を並行に設けたことを特徴とするシリンダー錠機構である。【選択図】      図１
2004316140.tif 000002
【特許請求の範囲】
【請求項１】
一端に板キーが挿入される鍵穴を設けたシリンダーの側面に、該シリンダーの軸線方向に沿って適宜の間隔を置いて板タンブラーの嵌合孔と、ばね受け孔とを多段に穿孔し、各嵌合孔とばね受け孔に板タンブラーと共にばねを嵌装して、各ばねをばね受け孔と板タンブラーの上部に具えたばね受けとの間で圧縮させる一方、各板タンブラーの中央部に板キーの挿通路を形成する窓孔を設け、この窓孔の下縁に、マスターキー用の凸部と、板キーの番手孔と係合する番手用凸部を並設し、鍵穴に挿入される板キーには、各板タンブラーの窓孔の下縁の番手用凸部に対応するディンプル部と、マスターキー用の凸部との係合を回避する回避溝を並行に設けたことを特徴とするシリンダー錠機構。
【請求項２】
前記シリンダーの側面に設けた板タンブラーの嵌合孔とばね受け孔は、上記シリンダーの軸線方向に沿って前後に隣接して設けられ、前記板タンブラーの上部に具えるばね受けは、前記窓孔の上縁から上記ばね受け孔側に向けて突出されていることを特徴とする請求項１記載のシリンダー錠機構。
【請求項３】
前記鍵穴に挿入される前記板キーには、表裏両面に、それぞれ前記番手凸部と係合する前記ディンプル部と、前記マスターキー用の凸部との係合を回避する回避溝を並設して、該キーをリバーシブルに使用できるように構成したことを特徴とする請求項１記載の自転車用錠。
【発明の詳細な説明】
【０００１】
【産業上の利用分野】
本発明は、例えば自転車用錠とかロッカーの錠前に用いられるようにしたシリンダー錠機構に関し、錠本体に組み込まれるシリンダー錠機構に、それぞれに番手凸部を備えた板タンブラーを用い、キーにはディンプルキーを用いるようにしたことを特長とするものである。
【０００２】
【従来の技術】
従来、錠本体に組み込まれるシリンダー錠機構には、一般に、シリンダーに複数枚の板タンブラーを施錠方向に付勢するばね（コイルばね）とともに嵌装したものを用い、キーには平板の両側縁に凹凸を付したものが用いられている（例えば、特許文献１、２、３参照）。
また、板タンブラーに代えて内端を円錐形に形成したタンブラーピンをシリンダーに嵌装し、ディンプルキーを使用するようにしたものがある（例えば、特許文献４、５参照〕。
【０００３】
【特許文献１】
特開２００２−３６４２１５号公報（第１頁、図１）
【特許文献２】
特開２００２−２７６２１４号公報（第１頁、図１）
【特許文献３】
特開２００２−４７８４７号公報（第１頁、図１）
【特許文献４】
特開平９−２９６６３７号公報（第１頁、図１）
【特許文献５】
特開２００２−２５０１５７号公報（第１頁、図１）
【０００４】
【発明が解決しようとする課題】
シリンダーに板タンブラーを組み込むようにしたシリンダー錠機構には、多数番手の板タンブラーを製作できる利点と、シリンダーに対する加工が容易で、かつ、シリンダーの軸長さを短くして多数枚の板タンブラーを嵌装できる利点とがある。
一方、タンブラーピンを使用する後者には、ピッキングされ難い利点がある反面、ピン、シリンダー、キーともに精度の高い加工が必要でコスト高になるとともに、シリンダーの軸長さを短くできないという欠点があった。
このようなことから、本発明が解決しようとする課題は、シリンダーの軸方向の強度を強化してピッキングされ難くし、製作を容易にしてコストダウンできるようにすることにある。
【０００５】
【課題を解決するための手段】
そこで本発明は、上記の課題を解決するために、一端に板キーが挿入される鍵穴を設けたシリンダーの側面に、シリンダーの軸線方向に沿って適宜の間隔を置いて板タンブラーの嵌合孔と、ばね受け孔とを多段に穿孔し、各嵌合孔とばね受け孔に板タンブラーと共にばねを嵌装して、各ばねをばね受け孔と板タンブラーの上部に具えたばね受けとの間で圧縮させる一方、各板タンブラーの中央部に板キーの挿通路を形成する窓孔を設け、この窓孔の下縁に、マスターキー用の凸部と、板キーの番手孔と係合する番手用凸部を並設し、鍵穴に挿入される板キーには、各板タンブラーの窓孔の下縁の番手用凸部に対応するディンプル部と、マスターキー用の凸部との係合を回避する回避溝を並行に設けたことを特徴とするシリンダー錠機構を提供するものである。
【０００６】
上記のように構成した本発明シリンダー錠機構は、従来の板タンブラー使用のシリンダー機構と同様に、板タンブラー用の嵌合孔の穿孔が容易で、かつ、比較的に軸方向の間隔を密にして多段に形成することができる。また、各嵌合孔に嵌装する板タンブラーの加工が容易で低コストに製作できる。そのため、錠前の番手数の組み合わせが多数できるので、ピッキングに対する防犯性に優れ、不正に開錠され難いシリンダー錠機構を安価に製造できる。
また、本発明シリンダー錠機構は、ディンプルキーを用いることにより、不正なキーのコピーを防止できる利点がある。以上のようにして本発明は前記の課題を解決したものである。
【０００７】
本発明シリンダー錠機構において、板タンブラーの嵌合孔とばね受け孔を、シリンダーの軸線方向に沿って前後に隣接して設け、板タンブラーの上部に具えるばね受けは、窓孔の上縁から上記ばね受け孔側に向けて突出させて設けるようにした請求項２の発明によれば、シリンダーと板タンブラーをより安価に製作することができる。
また、鍵穴に挿入される板キーの表裏両面に、それぞれ番手凸部と係合するディンプル部と、マスターキー用の凸部との係合を回避する回避溝を並設して、該キーをリバーシブルに使用できるように構成した請求項３の発明によれば、板キーの差し込み面を考慮しないで無造作な開錠操作ができるので、特に開錠を急ぐときとか、明るさが不足する場合等の使用に好適する。
【０００８】
【実施例】
以下に本発明の実施例を図面について説明する。
図１は、本発明に係るシリンダー部分の一部分解斜視図、図２は、シリンダー部分の平面図、図３は、実施例の開錠状態を示す拡大縦断面図、図４は、実施例の施錠状態を示す拡大縦断面図である。
【０００９】
図において、１は、円形周面を具えたシリンダー、２は、シリンダー１の一方の端面に設けた鍵穴、３は、シリンダー１の側面（図１の上面）に、シリンダーの軸線方向に沿って互いに適宜の間隔を置いて穿孔した板タンブラー４の嵌合孔、５は、各嵌合孔３に軸線方向で隣接して、図３、４に示す深さに穿孔したばね受け孔である。
【００１０】
各嵌合孔３とばね受け孔５には、図１に示すように形成した板タンブラー４とコイル形のばね６とが図３、４に示すように嵌装される。
各板タンブラー４は、シリンダー１の最内端に嵌装されるストッパータンブラー４’を除いて、高さと幅がほぼ同一の形状で、中央部に板キー１１を挿通する窓孔７を具え、窓孔７の上縁にばね受け孔５側に突出させたばね受け８を具え、窓孔７の下縁の中心線を挟む左右対称位置に、番手用の凸部９（図示左側）と、マスターキー用の凸部１０（右側）を並設している。
番手用の凸部９は、通常の板タンブラーと同様に適宜に高低が設けられ、当該の錠前に固有の番手を形成している。図３、４に示す板タンブラー４の場合、内端（図示左端）から２番目と５番目の凸部９の高さを最低に、３番目と７番目の高さを中間に、４番目と６番目の高さを最高にしている。また、マスターキー用の凸部１０にも同様に高低が形成されている。
【００１１】
鍵穴２に挿入される板キー１１（番手キー）は、上記各板タンブラー４の窓孔７の下縁の番手用凸部９に対応して深さ（高低）を変えたほぼ円錐形のディンプル部１２と、マスターキー（図示省略）用の凸部１０との係合を回避する深さの回避溝１３を並行に設けている。
図３に示すように、鍵穴２から板キー１１（番手キー）が挿入されると、各ディンプル部１２の深さに応じて、各板タンブラー４は、シリンダー１の嵌合孔３内でばね６の付勢に抗して下降し、同図３に示すように、上端をほぼ同じ高さに揃えてシリンダー１の円周面内に収まり、シリンダー１の回転が可能になる開錠可能状態を形成する。
【００１２】
なお、図３、４中、１４はシリンダー１を回転可能に嵌装するシリンダーケース、１５はシリンダーケース１４の内面に、各板タンブラー４の上端を嵌合するように設けた縦溝、１６はシリンダー１の内端に一体形成した作動軸、１７はストッパータンブラー４’の上端と係合するようにシリンダーケース１４の内面に沿って半円弧形に設けたガイド溝である。
【００１３】
図３に示す開錠可能の状態から、図４に示すように、板キー１１をシリンダー１から抜き出すと、各板タンブラー４は、ばね６の付勢により嵌合孔３内を上昇し、上端をシリンダーケース１４の縦溝１５に嵌合させることによって、シリンダー１の回転を不能にして施錠状態を保持する。
なお、この実施例においては、板タンブラー４の嵌合孔３とばね受け孔５を軸線に沿って隣接させているが、本発明の実施に際して、前記参考文献１、２中のシリンダー錠のように、嵌合孔の一側縁に沿ってばね受け孔を設け、板タンブラー４の側縁にばね受けを設けて両者間に付勢ばねを嵌装する場合もある。
【００１４】
また、実施例に使用した板キー１１は、表裏両面に、それぞれ番手用凸部９と係合するディンプル部１２と、マスターキー用の凸部１０との係合を回避する深さの回避溝１３を並設して、該キー１１をリバーシブルに使用できるようにすることにより、表裏を考慮せずに該キー１１を鍵穴２に差し込めるようにしていて、無造作な開錠操作ができ、特に開錠を急ぐときとか、明るさが不足する場所でのキーの使用に好都合である。
そして、各板タンブラー４の窓孔７の下縁に設ける番手用凸部９は、板キー１１のディンプル部１２の凹面形状に合わせて凸部の頂部を丸く形成すると、ディンプル部１２との系脱がスムーズになり、シリンダー１内での板キー１１の着脱操作を滑らかすることができる。
【００１５】
【発明の効果】
前記のように構成され上記のように用いられるようにした本発明シリンダー錠機構は、従来の板タンブラー使用のシリンダー錠機構と同様に、板タンブラー用の嵌合孔の穿孔が容易で、かつ、比較的に軸方向の間隔を密にして多段に形成することができる。また、各嵌合孔に嵌装する板タンブラーの加工が容易で低コストに製作できる。そのため、錠前の番手数の組み合わせが多数組できるので、ピッキングに対する防犯性に優れ、不正に開錠され難いシリンダー錠機構を安価に製造でき、例えば自転車用錠とかロッカーの錠前などに用いて装着場所をとらずきわめて有用である。
【図面の簡単な説明】
【図１】図１は、本発明に係るシリンダーの一部分解斜視図
【図２】図２は、シリンダー部分の平面図
【図３】図３は、開錠状態を示すシリンダー錠の縦断側面図
【図４】図４は、施錠状態を示すシリンダー錠の縦断側面図である。
【符号の説明】
１  シリンダー
２  鍵穴
３  嵌合孔
４  板タンブラー    （４’  ストッパータンブラー）
５  ばね受け孔
６  ばね
７  窓孔
８  ばね受け
９  番手用凸部
１０  マスターキー用凸部
１１  板キー
１２  ディンプル部
１３  回避溝
１４  シリンダーケース
１５  縦溝
１６  作動軸
１７  ガイド溝
【図１】
2004316140.tif 000003
【図２】
2004316140.tif 000004
【図３】
2004316140.tif 000005
【図４】
2004316140.tif 000006